(57)【要約】【課題】  電力がなくても使用でき、かつ保管時に嵩張らない水棲生物水槽用エアーポンプを実現可能とする。【解決手段】  ペットボトルＢの首部Ｂ１に螺着するための螺合部Ｐ１を有するポンプ本体Ｐ、本体をボトルに螺着した際にボトル内に垂下されるポンプシリンダー１、本体上に露出するポンピングバー４とシャフト３を介して連結され、ポンプシリンダー内を摺動するピストン２、シリンダーからボトル内への送気時は開放するが、ボトル内の圧縮空気のシリンダー内への逆流時は閉止する逆止弁１３、ボトルと連通して設けられる吐出調整室６、吐出流量ダイヤル８により操作される吐出流量調節弁を介して吐出調整室と連通するエアーチューブ接続口９、ボトルの内圧が所定値を上回った際に開放する安全弁１０によりエアーポンプを構成する。【選択図】      図１
0003174339.tif 000002
【実用新案登録請求の範囲】
【請求項１】
合成樹脂製のボトルのスクリューキャップ用の雄ネジを設けた首部にボトルと気密状態を保って螺着するための螺合部を有するポンプ本体、本体をボトルに螺着した際にボトル内に垂下されるポンプシリンダー、本体上に露出するポンピングバーとシャフトを介して連結され、ポンプシリンダー内を摺動するピストン、ピストンによるシリンダーからボトル内への送気時は開放するが、ボトル内の圧縮空気のシリンダー内への逆流時は閉止する逆止弁、ボトルと連通してポンプ本体内に設けられる吐出調整室、吐出流量ダイヤルにより操作される吐出流量調節弁を介して吐出調整室と連通するエアーチューブ接続口、ボトルの内圧が所定値を上回った際に開放する安全弁を有することを特徴とする水棲生物水槽用エアーポンプ。
【請求項２】
ボトルは飲料用のペットボトルである請求項１記載の水棲生物水槽用エアーポンプ。
【請求項３】
ポンプシリンダーは透明である、請求項１または２記載の水棲生物水槽用エアーポンプ。
【考案の詳細な説明】
【技術分野】
【０００１】
この考案は観賞魚などの水棲生物の水槽での生存のために使用するエアーポンプに関する。
【背景技術】
【０００２】
観賞魚などの水棲生物を限られた容積の水槽の中で生かすためには、水中の生物が消費する溶存酸素が不足しないように配慮しなくてはならない。酸素が欠乏すると生物は酸欠状態となり死亡してしまうおそれがある。
【０００３】
そのため、水棲生物用水槽においては、エアーポンプにより水槽内に強制的に空気を吐出し、それにより生じた気泡により上昇水流を発生させ、水面を常に循環させて水面より空気中の酸素を水に溶け込ませるエアレーションが必須となった。
【０００４】
そのためには、継続的に空気を吐出させなくてはならず、それを可能とする電動エアーポンプを使用するのが一般的であった（例えば、特許文献１）。
【０００５】
一方、水棲生物の輸送にあたり酸素ボンベや酸素発生剤（例えば、特許文献２）を用いて水槽内の酸素量を高めることも行われていた。
【先行技術文献】
【特許文献】
【０００６】
【特許文献１】特開平１０−１８４５５３号公報
【特許文献２】特開平１１−１００２０１号公報
【考案の概要】
【考案が解決しようとする課題】
【０００７】
前記の電動エアーポンプによるエアレーションはもっとも確実な酸素補給の手段であり、初心者にも失敗がない手段である。しかしながら、例えば停電などにより電力が遮断された場合は使用できない問題があり、特に昨今の震災により停電が起こりうる現実となった状況においてはこの問題は深刻であった。
【０００８】
一方、例えば観賞魚などの水棲生物を店舗で購入して遠隔地まで持ち帰る場合や、海や川で採取した水棲生物を生きたまま自宅まで持ち帰る場合には、電源がないので前記の電動エアーポンプは使用できない問題があった。また、前記の酸素ボンベは通常の者にとっては一般的でなく、同様に酸素発生剤も一般的ではなく、ある程度長時間継続して使用するにはそれなりの知識を要するという問題があった。
【課題を解決するための手段】
【０００９】
この考案は、以上の問題点を解決した水棲生物用エアーポンプを提供することを目的として創作されたものである。すなわち、この考案の水棲生物水槽用エアーポンプは合成樹脂製のボトルのスクリューキャップ用の雄ネジを設けた首部にボトルと気密状態を保って螺着するための螺合部を有するポンプ本体、本体をボトルに螺着した際にボトル内に垂下されるポンプシリンダー、本体上に露出するポンピングバーとシャフトを介して連結され、ポンプシリンダー内を摺動するピストン、ピストンによるシリンダーからボトル内への送気時は開放するが、ボトル内の圧縮空気のシリンダー内への逆流時は閉止する逆止弁、ボトルと連通してポンプ本体内に設けられる吐出調整室、吐出流量ダイヤルにより操作される吐出流量調節弁を介して吐出調整室と連通するエアーチューブ接続口、ボトルの内圧が所定値を上回った際に開放する安全弁を有することを特徴とする。
【００１０】
また、請求項２に記載の水棲生物水槽用エアーポンプは、前記のエアーポンプにおいて、ボトルを飲料用のペットボトルとしたことを特徴とする。
【００１１】
また、請求項３に記載の水棲生物水槽用エアーポンプは、前記のエアーポンプにおいて、ポンプシリンダーを透明としたことを特徴とする。
【考案の効果】
【００１２】
この考案のエアーポンプによれば、空のボトルの首部にスクリューキャップに代えて螺合部をもって螺着することによりポンプ本体はボトル上に固定することができる。ついで、吐出流量調節弁を閉止状態としてポンピングバーの手動による上下動を繰り返すことにより、ポンプシリンダー内のピストンを昇降させてボトル内の空気を圧縮して内圧を高める。そして、内圧が高まった段階で吐出流量調節弁を開放することによりエアーチューブ接続口からボトル内の圧縮空気が吐出されることになる。この場合、吐出流量調節弁の開放具合を吐出流量ダイヤルにより調節することにより、空気の吐出流量と吐出持続時間を設定することができる。
【００１３】
よって、この考案の水棲生物用エアーポンプによれば、第１に電力無しで手動でポンプを作動させることが可能となるので、停電時の水槽のエアレーションや、店舗で購入した水棲生物や、屋外で採取した水棲生物を輸送する際のエアレーションも電源無しで行うことができる。
【００１４】
第２に、吐出流量調節弁の開放具合を吐出流量ダイヤルにより調節することによって長時間に渡ってエアレーションを持続することができ、仮にボトル内の圧縮空気が少なくなっても再度ポンピングすることにより容易に補充できるので、長時間の停電や輸送にも充分対処することができる。
【００１５】
第３に、請求項２記載の考案のように、ボトルとして飲料用のペットボトルを採用すれば、身近にある使用済ペットボトルを利用してポンプ容器とすることができ、異なる容量のボトルを選択することにより多種多様の容積のポンプが実現される。同様の理由から部品構成がシンプルとなり、製造コストを低減できる。
【００１６】
第４に、ボトルとして飲料用のペットボトルを採用すれば、使用時に身近にある使用済ペットボトルを探してポンプ容器とすることができるので、使用しない場合はポンプ本体のみを保管すれば済み、嵩張らないポンプが実現される。
【００１７】
第５に、ボトルの内圧が所定値を上回った際に開放する安全弁を設けているので、ペットボトルを選択した場合でも破裂事故の危険が回避される。
【００１８】
第６に、請求項３記載の考案のように、ポンプシリンダーを透明素材により構成すれば、ペットボトルは例外なく透明であることから、ボトルを透かしてピストンが昇降してポンプ作用を果たす様子を視認でき、子供の理科教育にも役立ちポンプが実現される。
【図面の簡単な説明】
【００１９】
【図１】この考案の水棲生物水槽用エアーポンプの一部切り欠き側面図。
【図２】同上、加圧状態を示す一部切り欠き側面図。
【図３】同上、分解状態の一部切り欠き側面図。
【考案を実施するための形態】
【００２０】
以下、この考案の具体的実施例を添付図面に基づいて説明する。図１はこの考案の水棲生物水槽用エアーポンプをボトルに取り付けた状態を示す一部切り欠き側面図である。図中符号Ｐはエアーポンプの本体であり、下方に設けた内周に雌ねじを設けた螺合部Ｐ１を合成樹脂製のボトルＢのスクリューキャップ用の雄ネジを設けた首部Ｂ1 に螺着することによりボトル上部に固定される（図３参照）。この場合、ボトルＢは後記する連通孔５およびポンプシリンダー１を除いては外部と気密状態を保たなくてはならず、そのためにパッキンなどを用いて気密状態を確保する。
【００２１】
ボトルＢはここでは市販の飲料用のペットボトルを使用している。この種のボトルとしては対内圧強度の観点から炭酸飲料用のペットボトルが最適である。
【００２２】
図中符号１はポンプ作用を実現するためのポンプシリンダーであり、ポンプ本体ＰをボトルＢに螺着した際にボトル内に垂下されるよう、ポンプ本体に垂設される。上記ポンプシリンダー１内には内部を上下に摺動するピストン２が内設されるものであり、このポンプシリンダーはポンプ本体上に露出する上端にポンピングバー４を設けたシャフト３の下端に固定されることにより、ポンピングバーの手動による上下動に伴いポンプシリンダー内を昇降する（図２参照）。上記ポンプシリンダー１の下端にはピストン２によるシリンダー１からボトルＢ内への送気時は開放するが、ボトル内の圧縮空気のシリンダー内への逆流時は閉止する逆止弁１３が設けられる。図中符号１２は弁体を示す。なお、ここではポンプシリンダー１を透明素材により構成することにより、ボトルを透かしてピストンが昇降する様子を視認できるようにしている。
【００２３】
図中符号６はポンプ本体Ｐ内に設けられる吐出調整室である。この吐出調整室６は一方が連通孔５を介してボトルＢ内と連通し、他方が吐出流量調節弁を介してエアーチューブ接続口９と連通することにより、ボトル内の圧縮空気は吐出調整室、吐出流量調節弁を経てエアーチューブ接続口から外部に吐出することになる。図中符号７は吐出流量調節弁の弁体であり、エアーチューブ接続口９と一体をなす流量調節ダイアル８の回転に伴い吐出調整室６内に進退することにより、零を基点として吐出量を段階的に増加する作用を果たす。
【００２４】
図中符号１０は前記の吐出調整室６の下方に設けられる安全弁であり、ボトルＢの内圧が所定値を上回った際に弁体１１が押し出されて開放する作用を生じる。
【００２５】
以上の構成よりなるこの考案の水棲生物水槽用エアーポンプは、先端にエアーストーンを設けたエアーチューブ（図示せず）をエアーチューブ接続口９に接続することにより使用に供される。すなわち、ボトルＢ内に蓄積した圧縮空気を徐々に水槽内に吐出し、それにより生じた気泡により上昇水流を発生させ、水面を常に循環させて水面より空気中の酸素を水に溶け込ませるエアレーション効果を生じさせる。
【符号の説明】
【００２６】
Ｂ        ボトル
Ｂ１      ボトルの首部
Ｐ        ポンプ本体
Ｐ１      螺合部
１        ポンプシリンダー
２        ピストン
６        吐出調整室
９        エアーチューブ接続口
【図１】
0003174339.tif 000003
【図２】
0003174339.tif 000004
【図３】
0003174339.tif 000005